(57)【特許請求の範囲】
【請求項１】
開口を有するハウジングと、
前記ハウジング内に移動可能に装着されたスラスト・ノーズ部分であって、前記スラスト・ノーズ部分は、予圧側面および外側端を含み、前記外側端は、少なくとも１つのインパクト・ヘッドに結合するための外側端シャンクを含み、前記外側端シャンクに結合された前記インパクト・ヘッドは、前記開口によって人体に接触可能になる、スラスト・ノーズ部分と、
前記スラスト・ノーズ部分の予圧端に結合された予圧スイッチ・プランジャと、
前記ハウジングと、前記スラスト・ノーズ部分の前記外側端または前記スラスト・ノーズ部分を受け入れるための第１通路を有する第１内部ハウジング・ストップと、の間に挿入された緩衝ばねと、
前記ハウジング内に装着されたソレノイドであって、
長手方向の中心軸、および、
前記予圧スイッチ・プランジャを受け入れるための第３通路を有し、それによって前記長手方向の中心軸に沿って移動し、前記スラスト・ノーズ部分と整列するコア、
を含むソレノイドと、
前記スラスト・ノーズ部分の前記予圧端と、前記予圧スイッチ・プランジャが結合された前記予圧端を十分に受け入れるための第２通路を有する第２内部ハウジング・ストップとの間に挿入された予圧ばねと、
前記コアと、前記予圧スイッチ・プランジャが結合された前記予圧端との間に挿入された反衝ばねと、
前記予圧スイッチ・プランジャが結合された前記予圧端から前記コアが離れようとする通常の圧力を防ぎ、かつ、前記予圧スイッチ・プランジャを受け入れるための第４内部通路を有する第３内部ストップと、
電力源に動作可能に接続され、前記ソレノイドを励磁するための交流を提供し、前記電力源とは独立して再生成され得るインパルス・エネルギーを前記コアから前記スラスト・ノーズ部分に与える電子パルス・システムと、
前記予圧スイッチ・プランジャによって起動されるスイッチを含む前記電子パルス・システムを始動させるためのトリガ・システムと、
から構成されることを特徴とするカイロプラクティック用調整機器。
【請求項２】
前記コアと前記第３内部ストップとの間に緩衝器内通路を有する緩衝器をさらに含むことを特徴とする請求項１記載のカイロプラクティック用調整機器。
【請求項３】
前記予圧スイッチ・プランジャを受け入れるためのカップラ内通路を有するカップラをさらに含み、前記カップラは、前記反衝ばねと前記コアとの間に挿入され、前記コアは、前記カップラに結合するために形成されたカップラ端をさらに含むことを特徴とする請求項１記載のカイロプラクティック用調整機器。
【請求項４】
前記カップラは、非導電性の材料で作成されることを特徴とする請求項３記載のカイロプラクティック用調整機器。
【請求項５】
前記非導電性の材料は、ナイロンおよびテフロン(登録商標)を含むグループから選択されることを特徴とする請求項４記載のカイロプラクティック用調整機器。
【請求項６】
前記スラスト・ノーズ部分は、前記予圧スイッチ・プランジャに結合するために形成された前記予圧端を有する予圧シャンクをさらに含むことを特徴とする請求項１記載のカイロプラクティック用調整機器。
【請求項７】
前記予圧スイッチ・プランジャは、金属、非導電性のプラスチック、およびそれらの組合せを含むグループから選択された材料で作成されることを特徴とする請求項１記載のカイロプラクティック用調整機器。
【請求項８】
前記ハウジングは、拳銃形であることを特徴とする請求項１記載のカイロプラクティック用調整機器。
【請求項９】
前記電力源は、９０ボルトから２６５ボルトの電圧、および５０ヘルツから６０ヘルツの周波数を有する単相交流であることを特徴とする請求項１記載のカイロプラクティック用調整機器。
【請求項１０】
前記電子パルス・システムは、パルス回路に電力を供給するために交流電気の一部を直流に変換するトランスフォーマ、および、交流電気の前記電圧および周波数を分析し、少なくとも２つの交流高電圧の切換えを制御するプログラム可能なマイクロプロセッサを含み、それによって、前記交流電気とは独立して、再生成され得る規則的な電気的インパルスが前記ソレノイドに提供されることを特徴とする請求項９記載のカイロプラクティック用調整機器。
【請求項１１】
前記スイッチは、光学的、電気的、機械的、磁気的なスイッチ、およびこれらの組合せを含むグループから選択されることを特徴とする請求項１記載のカイロプラクティック用調整機器。
【請求項１２】
トリガ・スイッチを起動するためのトリガをさらに含み、前記トリガ・スイッチは、光学的、電気的、機械的、磁気的なスイッチ、およびこれらの組合せを含むグループから選択されることを特徴とする請求項１１記載のカイロプラクティック用調整機器。
【請求項１３】
電力オン表示、予圧準備完了表示、およびエラー表示を提供するためのインディケータをさらに含むことを特徴とする請求項１記載のカイロプラクティック用調整機器。
【請求項１４】
前記インディケータは、ビジュアル・インディケータおよびサウンド・インディケータを含むグループから選択されることを特徴とする請求項１３記載のカイロプラクティック用調整機器。
【請求項１５】
前記インディケータは、少なくとも１つの発光ダイオードであることを特徴とする請求項１４記載のカイロプラクティック用調整機器。
【請求項１６】
前記少なくとも１つの発光ダイオードは、少なくとも１つの色、少なくとも１つの点滅、およびそれらの組合せを含むグループから選択された組合せを使用して、電力、適切な予圧およびパルス・モード、およびエラー・モードを表示することを特徴とする請求項１５記載のカイロプラクティック用調整機器。
【請求項１７】
前記少なくとも１つのインパクト・ヘッドは、単一の接触ヘッド、頸椎用の２つの接触ヘッド、および、胸椎または腰椎用の２つの接触ヘッドを含むグループから選択されることを特徴とする請求項１記載のカイロプラクティック用調整機器。
【請求項１８】
前記電子パルス・システムは、一定のパルス期間を有する規則的なインパルスを生成することを特徴とする請求項１記載のカイロプラクティック用調整機器。
【請求項１９】
前記規則的なインパルスは、ほぼ半波正弦波であることを特徴とする請求項１８記載のカイロプラクティック用調整機器。
【請求項２０】
予めプログラムされた付与されたインパルス・エネルギーまたはパルス・モードを個別に変更するために、少なくとも２つの位置を有するレベル・スイッチをさらに含むことを特徴とする請求項１記載のカイロプラクティック用調整機器。
【請求項２１】
衝撃吸収グリップをさらに含むことを特徴とする請求項１記載のカイロプラクティック用調整機器。
【請求項２２】
前記電子パルス・システムのテスト、評価、およびプログラミングのためのアクセス・ポートをさらに含むことを特徴とする請求項１記載のカイロプラクティック用調整機器。
【請求項２３】
前記外側端シャンクはボアを有し、また、前記少なくとも１つのインパクト・ヘッドは、溝およびそこに結合されたＯリングを有するシャンクを有し、その結果、前記シャンクは、前記ボア内を移動可能にスライドし、前記Ｏリングは前記ボアに適合するように圧縮されることを特徴とする請求項１記載のカイロプラクティック用調整機器。
【請求項２４】
インパクト・ヘッドと、
ハウジングと、
から構成され、
前記ハウジングは、
予圧起動位置を有し、かつ、前記インパクト・ヘッドに結合された電気機械式駆動機構、
電力源および前記電気機械式駆動機構に結合された電子パルス・システム、および、
スイッチおよびトリガ・スイッチを含むトリガ・システム、
を含み、
前記トリガ・システムは、前記スイッチによって前記電気機械式駆動機構に結合され、かつ、前記トリガ・スイッチによって前記電子パルス・システムに結合され、
前記トリガ・スイッチは、前記電気機械式駆動機構が前記スイッチを起動する前記予圧起動位置に無い限り、前記電気機械式駆動機構を励磁するための前記電子パルス・システムを起動することができない、
ことを特徴とするカイロプラクティック用調整機器。
【請求項２５】
ステータス情報のために、前記トリガ・システム、前記電子パルス・システム、および前記電気機械式駆動機構に結合されたインディケータをさらに含むことを特徴とする請求項２４記載のカイロプラクティック用調整機器。
【請求項２６】
前記インディケータは、電力オン表示、予圧準備完了表示、およびエラー表示を提供することを特徴とする請求項２４記載のカイロプラクティック用調整機器。
【請求項２７】
前記インディケータは、ビジュアル・インディケータおよびサウンド・インディケータを含むグループから選択されることを特徴とする請求項２４記載のカイロプラクティック用調整機器。
【請求項２８】
前記インディケータは、少なくとも１つの発光ダイオードであることを特徴とする請求項２７記載のカイロプラクティック用調整機器。
【請求項２９】
前記少なくとも１つの発光ダイオードは、少なくとも１つの色、少なくとも１つの点滅、およびそれらの組合せを含むグループから選択された組合せを使用して、電力、適切な予圧および電子パルス・モード、およびエラー・モードを表示することを特徴とする請求項２８記載のカイロプラクティック用調整機器。
【請求項３０】
前記インディケータは、音響出力装置であることを特徴とする請求項２７記載のカイロプラクティック用調整機器。
【請求項３１】
前記電力源は、交流源であることを特徴とする請求項２４記載のカイロプラクティック用調整機器。
【請求項３２】
前記電力源は、電池であることを特徴とする請求項２４記載のカイロプラクティック用調整機器。
【発明の詳細な説明】
【技術分野】
【０００１】
本発明は、調整機器および方法の分野に関する。特に、人体に対して制御された動的な力を加えるために使用される電気機械式操作／調整機器の分野に関する。より詳しくは、本発明は、改善された力対時間の波形およびパルス・モードを有する。
【背景技術】
【０００２】
人間が筋骨の痛みのために苦しむことは、カイロプラクティック技術において周知である。背骨および人体の骨格のアライメント不良または他の整合不良または亜脱臼は、筋骨の不快感および多種多様の関連する症状を誘発する。健康的なアライメントに背骨を調整することによって、本質的な治療効果が得られる。
【０００３】
ここに、電力源または電圧変動に関係なく、制御された再生成可能なインパルス・エネルギーを印加する電気機械式調整機器を作成すること、より少ない力で、骨のより大きい移動および神経レセプタのより広範な刺激を可能にするために人体の性質に合った波形を有する電気機械式調整機器を作成すること、および、適切な予圧(preload)に到達しない限り装置が起動できないようなインタロックを有することに対する要求がある。さらに、機器を正確に較正し、かつ、ソレノイドに加えられる電気的インパルスを分析するために、ソレノイドに加えられる電気的インパルスを使用すること、予め定められた力の設定を素早く容易に選択すること、押し出し(thrusting)に先立って、予圧の適切な適用を知らせること、装置トリガによって単一または複数のスラストを与えること、交換可能なインパクト・ヘッドを収容するためのスラスト・ノーズ部分を提供すること、および、操作者への振動を低減することによってストレスを緩和し、かつ快適さを提供することに対する要求がある。
【０００４】
ハンドヘルド型装置に関連する情報は、米国特許番号および特許公開番号４１１６２３５、４４９８４６４、４６８２４９０、４７１６８９０、４８４１９５５、４９８４１２７、５０８５２０７、５６１８３１５、５６２６６１５、５６５６０１７、５６６２１２２、５８９７５１０、６１６５１４５、６３７９３７５、６５０３２１１、６７９２８０１、６５３７２３６、６５３９３２８、６６０２２１１、６６６３６５７、６６８２４９６、６７０２８３６、６８０５７００、および、２００２００８２５３２、２００２０１７７７９５、２００３００１１４０７９、２００５０１３１４６１において見出すことができる。上記の米国特許番号および特許公開番号のそれぞれは、参照文献としてここに組み入れられる。しかしながら、これらの各参照文献は、例えば下記のような欠点を１つまたはそれ以上有する。
【０００５】
１つの欠点は、人体に再生成され得る(reproducible)インパルス・エネルギーを提供するために、１を越える電力源を使用できないことである。
【０００６】
他の欠点は、インタロックを含むトリガ・システムおよびパルス・システムを有しないために、適切な予圧で装置を起動することができないことである。
【０００７】
他の欠点は、機器を正確に較正するためにソレノイドに加えられた電気的インパルス使用し、かつ、ソレノイドに加えられた電気的インパルスを分析するための方法を有しないことである。
【０００８】
他の欠点は、適切な予圧に到達しない限り装置が起動しないようなインタロックを有しないことである。
【０００９】
他の欠点は、特に、より少ない力で骨のより大きい移動および神経レセプタのより広範な刺激を可能にするために人体の性質に合った波形を有する電気機械的調整機器を作成しないことである。
【００１０】
他の欠点は、交換可能なインパクト・ヘッドを収容し、または操作者に対する振動を低減し、快適さを提供するようなスラスト・ノーズ部分を提供しないことである。
【００１１】
他の欠点は、予圧表示システムを有しないことである。
【発明の概要】
【００１２】
本発明の目的は、開口を有するハウジング；ハウジング内に移動可能に装着され、予圧側面、および、少なくとも１つのインパクト・ヘッドに結合するための外側端シャンクを含む外側端から成り、外側端シャンクに結合されたインパクト・ヘッドが開口によって人体に接触可能になるスラスト・ノーズ部分；スラスト・ノーズ部分の予圧端に結合された予圧スイッチ・プランジャ；ハウジングとスラスト・ノーズ部分の外側端、またはスラスト・ノーズ部分を受け入れるための第１通路を有する第１内部ハウジング・ストップとの間に挿入された緩衝ばね；ハウジング内に装着されたソレノイドであって、それは、長手方向の中心軸、および、予圧スイッチ・プランジャを受け入れるための第３通路を有し、それによって、長手方向の中心軸に沿って移動し、スラスト・ノーズ部分と整列するコア、を含むソレノイド；スラスト・ノーズ部分の予圧側面と、予圧スイッチ・プランジャが結合された予圧端を十分に受け入れるための第２通路を有する第２内部ハウジング・ストップとの間に挿入された予圧ばね；コアと、予圧スイッチ・プランジャが結合された予圧端との間に挿入された反衝ばね；予圧スイッチ・プランジャが結合された予圧端からコアが離れようとする通常の圧力を防止し、かつ、予圧スイッチ・プランジャを受け入れるための第４内部通路を有する第３内部ストップ；電力源に動作可能に接続され、ソレノイドを励磁するための交流を提供し、電力源とは独立して再生成され得るインパルス・エネルギーをコアからスラスト・ノーズ部分に与える電子パルス・システム；予圧スイッチ・プランジャによって起動されるスイッチを含む電子パルス・システムを始動させるためのトリガ・システム；から構成されるカイロプラクティック用調整機器を提供することである。
【００１３】
本発明の特徴であると考えられる新規な機能は、特に添付の請求項で述べられる。しかしながら、本発明自体の構造およびその動作の両方については、その付加的な目的および利点と共に、下記の本発明の好適な実施例の記述を添付図面と共に参照することによって最も良く理解されるであろう。特記されない限り、明細書および請求項中の語句は、当業者にとって通常かつ慣用的な意味が付与されると意図している。他の意味を意図している場合には、特別の意味が語句に適用される旨が本明細書に特に記述される。
【発明の開示】
【００１４】
図１〜図１３および図１４Ａ〜Ｄには、カイロプラクティック用調整機器(chiropractic adjusting instrument)の発明およびその要素が示される。本発明のカイロプラクティック用調整機器は、一般に参照番号１０を付して、図１〜図６に示されるが、これはハウジング１２を含み、それはこの好適な実施例では拳銃形であり、交流電源コード４０（図７）および衝撃吸収グリップ５０（図１，２）を有する。カイロプラクティック用調整機器１０は、さらに、電気機械式駆動機構１００（図８，図１１）、電子パルス・システム２００（図７）、およびトリガ・システムを含む。
【００１５】
本発明によれば、カイロプラクティック用調整機器１０のハウジング１２は、開口２０および電気機械式駆動機構１００を装着するための内側空洞(inside cavity)３０を有する（図７）。ハウジング１２は、プラスチックのような非導電材料で作成されるのが好ましい。本発明によれば、図７で示されるように、内側空洞３０は、ハウジング内側１０２、第１内部ハウジング・ストップ１０５、第２内部ハウジング・ストップ１１０、第３内部ハウジング・ストップ１１５、およびハウジング１２内に電気機械式駆動機構１００を配置するための内部空洞(interior cavity)から構成される。
【００１６】
図７〜図１１は、本発明に従って、電気機械式駆動機構１００の要素を様々な視点から示す。特に、図１１は緩衝ばね１２０、スラスト・ノーズ部分１３０、予圧ばね１４５、予圧スイッチ・プランジャ１５０（プランジャ・ロッド１５１およびプランジャ・キャップ１５２を含む）、反衝(recoil)ばね１６０、カップラ１７０、コア１８２を有するソレノイド１８０、および緩衝器１９０を示す。本発明によれば、スラスト・ノーズ部分１３０（図１０）は、ハウジング１２内に移動可動に装着されるように適合され、外側端１３６、少なくとも１つのインパクト・ヘッド７０（図１，２）と結合するように適合された外側端シャンク１３８、および予圧スイッチ・プランジャ１５０（図１１）と結合するように適合された予圧側面１３１を含む。本発明によれば、スラスト・ノーズ部分１３０は、さらに、予圧シャンク１３３、プランジャ・キャップ１５２（図９）に適合される空洞１３５を有する予圧端１３４、および、少なくとも１つのインパクト・ヘッド７０に適合されるボア１３９を含む。より好適な実施例では、外側端シャンク１３８は開口２０（図７）を通過して伸長する。スラスト・ノーズ部分１３０は、スチールのような金属、または他の硬質材料で作成される。
【００１７】
図７および図１１で示されるように、緩衝ばね１２０はハウジング１２内に装着され、かつ、スラスト・ノーズ部分１３０の位置に依存して、ハウジング内側１０２と第１内部ハウジング・ストップ１０５との間（図１２）、またはハウジング内側１０２とスラスト・ノーズ部分１３０の外側端１３６との間（図１３）に挿入される。図示されたような実施例では、緩衝ばね１２０は、スチールのような金属または十分な弾力を有する他の材料で作成される。
【００１８】
図７および図１１で示されるように、予圧ばね１４５は、第２内部ハウジング・ストップ１１０とスラスト・ノーズ部分１３０の予圧側面１３１との間に挿入される。示された実施例では、予圧ばね１４５は、スチールのような金属または十分な弾力を有する他の材料で作成される。
【００１９】
図７および図１１で示されるように、予圧スイッチ・プランジャ１５０は、スラスト・ノーズ部分１３０に結合する。一実施例において、予圧スイッチ・プランジャ１５０は、スラスト・ノーズ部分１３０と一体化されてもよい。他の実施例では、予圧スイッチ・プランジャ１５０は単一部品であり、スラスト・ノーズ部分１３０に結合してもよく、より好ましくは、予圧端１３４に結合する。図１１で示されるように、予圧スイッチ・プランジャ１５０は、プランジャ・ロッド１５１およびプランジャ・キャップ１５２から構成される。予圧スイッチ・プランジャ１５０は、金属またはプラスチック、または、それらの組合せで作成されてもよい。予圧スイッチ・プランジャ１５０は、スラスト・ノーズ部分１３０への導電性がないことが好ましい。図１２に示されるように、スラスト・ノーズ部分１３０が予圧ばね１４５を予圧位置まで十分に圧縮したとき、予圧スイッチ・プランジャ１５０は伸長し、それによってスイッチ３１０を閉にし、スイッチ３１０を起動させる。
【００２０】
図７、図８、図９および図１１に示されるように、ソレノイド１８０は、コアの開口１８１および移動可能なコア１８２および長手方向軸１８４を有する。ソレノイド１８０はハウジング１２内の固定位置に装着され、その結果、コア１８２は長手方向軸１８４に沿って移動可能となり、スラスト・ノーズ部分１３０と整列する。さらに、コア１８２は、予圧スイッチ・プランジャ１５０を受け入れるために、コア１８２の全長にわたって横断する第３通路１８６を有する。コア１８２は、ソレノイド１８０が電流によってエネルギーを与えられたときに、ソレノイド１８０と電磁的に結合する材料で作成される。
【００２１】
図７、図８、および図１１に示されるように、反衝ばね１６０は、コア１８２と、予圧スイッチ・プランジャ１５０が結合された予圧端１３４との間に挿入され、生成された後方への力を低減し、かつ、カイロプラクティック用調整機器１０が静止しているときに、適切な位置にコアを配置するために選択される。図示された実施例では、好ましくは、反衝ばね１６０は、スチールのような金属または十分な弾力を有する他の材料で作成される。図７、図９、および図１１に示されるように、カイロプラクティック用調整機器１０は、コア１８２と反衝ばね１６０との間にカップラ１７０を含む。さらに、カップラ１７０は、好ましくはプラスチック、および最も好ましくはナイロンまたはテフロン（登録商標）のような非導電性の材料で作成される。図７、図９、および図１１では、反衝ばね１６０は、カップラ１７０と予圧スイッチ・プランジャ１５０（のプランジャ・キャップ１５２）との間に挿入される。
【００２２】
図７に示されるように、ハウジング１２は、スラスト・ノーズ部分１３０を受け入れるための第１通路を有する第１内部ハウジング・ストップ１０５、予圧スイッチ・プランジャ１５０が結合された予圧端１３４を受け入れるために十分な第２通路を有する第２内部ハウジング・ストップ１１０、および、予圧スイッチ・プランジャ１５０（のプランジャ・ロッド１５１）を受け入れるための第４内部通路を有する第３内部ストップ１１５を含む。
【００２３】
本発明によれば、カイロプラクティック用調整機器１０は、さらに、コア１８２と第３内部ストップ１１５との間に、緩衝器内通路を有する緩衝器１９０（図９）を含む。緩衝器１９０は、ゴムのようなエネルギーを吸収する材料で作成される。
【００２４】
カイロプラクティック用調整機器１０は、さらに、電力源に動作可能に接続された電子パルス・システム２００（図７）を含み、それは、ソレノイド１８０にエネルギーを与えるための交流電流を提供し、コア１８２からスラスト・ノーズ部分１３０に電力源から独立した再生成可能なインパルス・エネルギーを供給する。電子パルス・システム２００の回路の１つの好適な実施例が、図１５に示される。本発明の好適な実施例では、電子パルス・システム２００は、図７に示されるように、少なくとも、トランスフォーマ２１０、プログラム可能なマイクロプロセッサ２２０、電界効果トランジスタ２３０、およびソレノイド１８０をオン・オフするための２つの高電圧スイッチ２４０，２５０を含む。本発明の好適な実施例では、カイロプラクティック用調整機器１０は、９０ボルトから２６５ボルトの電圧、および５０ヘルツから６０ヘルツの周波数を有する任意の交流電力源を使用することができる。特に、トランスフォーマ２２０は、交流の一部を直流に変換し、プログラム可能なマイクロプロセッサ２２０を含むパルス回路に電力を供給する。そして、プログラム可能なマイクロプロセッサ２２０は、電圧および電流を診断／分析し、高電圧スイッチのオン・オフ期間（ソレノイドへのパルス期間）を制御し、再生成可能にソレノイドを励磁し、その結果、電子パルス・システム２００は、一定のパルス期間またはインパルスを生成し、さらに、より好ましくは、インパルスは、ほぼ半波正弦波であり、より好ましくは、２ミリ秒から５ミリ秒のパルス幅を有する。さらに、プログラム可能なマイクロプロセッサ２２０は、例えば予圧が達成されたか否かといった装置の状態を診断できることが好ましい。以下の表１は、カイロプラクティック用調整機器のためのプログラム可能なマイクロプロセッサ２２０の１つの好適な動作を列挙する。
【００２５】
【表１】
0004787835.tif 000002
【００２６】
本発明によれば、電子パルス・システム２００は、パルス期間および単一または複数のパルスのモードを制御するために、少なくとも２つの位置を有するレベル・スイッチ２９０（図３，４）を含む。図４に示されるように、パルス・システム２００は、テスト、評価、データのダウンロード、およびプログラム可能なマイクロプロセッサ２２０を含む電子パルス・システム２００のプログラミングのためのアクセス・ポート２８５を含む。より好ましくは、電子パルス・システム２００は、さらに、パルス・データの収集のための付加メモリ格納装置を含む。他の実施例では、電子パルス・システム２００は、電力オン表示、予圧準備完了表示、およびエラー表示を提供するためのインディケータ２８０を含む。インディケータ２８０は、スピーカ、発光ダイオード、または他の聴覚的出力デバイスまたは視覚的出力デバイスのようなサウンド・インディケータおよびビジュアル・インディケータから選択されるのが最も好ましい。図３および図４に示されるように、インディケータ２８０は、点滅および赤と緑のような色彩の組合せを用いて、電力、適切な予圧、およびパルス・モード、エラー・モードを表示する少なくとも１つの発光ダイオードである。
【００２７】
図７に示すように、カイロプラクティック用調整機器１０は、さらに、パルス・システム２００を始動するためのトリガ・システムを含む。本発明によれば、トリガ・システムは、予圧スイッチ・プランジャ１５０によって起動されるスイッチ３１０を含む。スイッチ３１０は、インタロックまたは安全装置としても作用するので、パルス・システム２００は、スイッチ３１０が起動しない限り起動することができない。スイッチ３１０は、任意のタイプの光学的、電気的、機械的、または磁気的スイッチであり、多様な方法で形成されてもよく、また、それが起動されない限り発射しないように電気機械式駆動機構１００に結合されてもよい。図７に示されるように、スイッチ３１０は、予圧スイッチ・プランジャ１５０が光学ビームを遮断するような光学的スイッチである。本発明によれば、トリガ・システムは、さらにトリガ・スイッチ３２０、トリガ３３０、およびトリガばね３４０を含み、操作者は、トリガ・スイッチ３２０を起動することによって、電子パルス・システム２００を始動することができる。トリガ・スイッチ３２０は、任意のタイプの光学的、電気的、機械的、または磁気的スイッチであってもよいが、図７に示されるように、トリガ・スイッチ３２０は、トリガ３３０が光ビームを遮断するような光学的スイッチである。
【００２８】
図１２には、（人体または表面（図示せず）上にインパクト・ヘッド７０を置くことによって）電気機械式駆動機構１００（図８）が圧縮または予圧され、その結果、スイッチ３１０が起動され、トリガ３３０（図７）を引くことによって、カイロプラクティック用調整機器１０が始動するような予圧起動位置が示される。図１３は、静止（あるいは最初の）位置までの電気機械式駆動機構１００およびトリガ３３０の移動を示す。
【００２９】
図１４および図１４Ａ〜Ｄは、クッション７３、インパクト・ボデー７５、およびインパクト・カップラ７８を含む、インパクト・ヘッド７０（図１，図２）の多様な実施例を示す。これらの実施例では、クッション７３は、ゴムのような柔軟な材料であり、インパクト・ボデー７５は、アルミニウムのような金属で作成され、また、インパクト・カップラ７８は、典型的にはＯリングのような柔軟な材料であり、スラスト・ノーズ部分１３０に圧着する。
【００３０】
本発明の他の実施例として、例えば、電気機械式駆動機構１００に電力を供給するために、従来型または再充電可能な電池を使用することが考えられる。電池は、充電または再充電のために取り外し可能であることがより好ましい。
【００３１】
本発明の好適な実施例は、以上の好適な実施例に関する図面および記述によって説明された。これらの記述は、上記の実施例について直接に記述しているが、当業者であれば、ここに図示され記述された特定の実施例に対する修正および／または変更を想起し得ることが理解される。本記述の範囲内であるこのような修正または変更は、いずれも同様にここに含まれると解する。特に注記されない限り、本明細書および請求項中の語句は、通常の当業者にとって普通かつ慣用的な意味であるとするのが本発明者の意図である。出願時に出願人にとって既知であった上記の好適な実施例の記述および本発明のベスト・モードが提示されたが、例示および説明の目的であることを意図している。それは、本発明を網羅したものでもなく、また、開示された正確な形に制限することを意図するものでもなく、多くの修正および変更が上記の教示に照らして可能である。本実施例は、本発明の原理および実際的な応用を最も良く説明するために選択され、記述されたものであり、また、他の当業者は、自己が意図する特定の使用に適するように、多様な実施例において、多様な変更を行なって、本発明を最も良く利用することができる。
【図面の簡単な説明】
【００３２】
【図１】インパクト・ヘッドの１つの実施例に関する本発明の好適な実施例の側面図である。
【図２】インパクト・ヘッドの１つの実施例に関する本発明の好適な実施例の側面の分解立体図である。
【図３】本発明の好適な実施例の第１端面図である。
【図４】本発明の好適な実施例の第１端面の分解立体図である。
【図５】本発明の好適な実施例の第２端面図である。
【図６】本発明の好適な実施例の平面図である。
【図７】本発明の好適な実施例の断面図である。
【図８】ハウジングの無い電気機械式駆動システムの好適な実施例の図である。
【図９】ハウジングおよび関連するばねの無い電気機械式駆動システムの好適な実施例の断面図である。
【図１０】スラスト・ノーズ部分の好適な実施例の断面図である。
【図１１】ハウジングの無い電気機械式駆動システムの好適な実施例の分解立体図である。
【図１２】スラスト・ノーズ部分の方向およびトリガの方向に沿って移動方向を示す矢印を有する本発明の好適な実施例の断面図である。
【図１３】静止状態に戻るときに、スラスト・ノーズ部分の方向およびトリガの方向に沿って移動方向を示す矢印を有する本発明の好適な実施例の断面図である。
【図１４】インパクト・ヘッドの好適な実施例の図である。
【図１４Ａ】インパクト・ヘッドの好適な実施例の図である。
【図１４Ｂ】インパクト・ヘッドの好適な実施例の図である。
【図１４Ｃ】インパクト・ヘッドの好適な実施例の図である。
【図１４Ｄ】インパクト・ヘッドの好適な実施例の図である。
【図１５】電子パルス・システムのための回路の１つの好適な実施例の概略図である。
【図１】
0004787835.tif 000003
【図２】
0004787835.tif 000004
【図３】
0004787835.tif 000005
【図４】
0004787835.tif 000006
【図５】
0004787835.tif 000007
【図６】
0004787835.tif 000008
【図７】
0004787835.tif 000009
【図８】
0004787835.tif 000010
【図９】
0004787835.tif 000011
【図１０】
0004787835.tif 000012
【図１１】
0004787835.tif 000013
【図１２】
0004787835.tif 000014
【図１３】
0004787835.tif 000015
【図１４】
0004787835.tif 000016
【図１４Ａ】
0004787835.tif 000017
【図１４Ｂ】
0004787835.tif 000018
【図１４Ｃ】
0004787835.tif 000019
【図１４Ｄ】
0004787835.tif 000020
【図１５】
0004787835.tif 000021